(57)【要約】【課題】様々な種類の植物に対応可能であり、また、植物を装飾する場合に植物に対するダメージを極力少なくすると共に、興趣性に優れる植物等の装飾体を提供する。【解決手段】植物の葉等に取り付けるための取付部を備えるシート状の本体部１１と、前記本体部１１から上方に斜傾するシート状の揺動装飾部１２とが一体的に形成されているので、植物の葉等に取り付けることができ、対象植物が限定されることはなく、また、前記葉に取り付けた場合でも、全体がシート状で形成されるため、非常に軽量であり、前記葉に負担を与えることはなく、流れる風や震動により、前記揺動装飾部１２が揺らいて看取され、興趣性を高めるとともに、簡単な構成で形成されており、容易かつ安価に製造することができるように構成した。【選択図】図４
0003180747.tif 000002
【実用新案登録請求の範囲】
【請求項１】
植物の葉等に取り付けるための取付部を備えるシート状の本体部と、前記本体部から上方に斜傾するシート状の揺動装飾部とが一体的に形成されてなることを特徴とする植物等の装飾体。
【請求項２】
前記本体部及び前記揺動装飾部は昆虫、花等の天然物装飾から形成されてなることを特徴とする請求項１に記載の植物等の装飾体。
【請求項３】
前記本体部及び前記揺動装飾部は昆虫の天然物装飾から形成されてなり、前記本体部は前記昆虫の胴体部を模して形成される共に、前記衝動装飾部は前記昆虫の羽根部を模して形成され、前記揺動装飾部は前記本体部の両側から一対の羽根が生えているように前記本体部から上方に斜傾して形成されてなることを特徴とする請求項１又は２に記載の植物等の装飾体。
【請求項４】
前記取付部は、前記本体部から刳り貫かれる差し込み片により形成されてなることを特徴とする請求項１乃至３の何れか一に記載の植物等の装飾体。
【請求項５】
前記差し込み片の上部には、剥離紙を伴う接着層が形成されてなることを特徴とする請求項４に記載の植物等の装飾体。
【考案の詳細な説明】
【技術分野】
【０００１】
本考案は、例えば、観葉植物等の園芸植物の葉に取り付けて装飾する植物等の装飾体に関するものである。
【背景技術】
【０００２】
従来、この種の植物等の装飾体は、例えば、実用新案登録第３１７４２１４号公報（特許文献１）に記載のものが公知である。前記従来の植物等の装飾体は、生花の茎側を囲い込んで保持する第１装飾部と、人形の頭部をイメージした第２装飾部と、人形の胴体部をイメージした第３装飾部を有しており、第１装飾部、第２装飾部および第３装飾部を分離した状態で袋などに入れられ販売されるものであり、生花等の植物と一体化した装飾が可能であり、かつ容易の扱えるものとなっている。
【先行技術文献】
【特許文献】
【０００３】
【特許文献１】実用新案登録第３１７４２１４号公報
【考案の概要】
【考案が解決しようとする課題】
【０００４】
しかしながら、前記従来の植物等の装飾体は、構造が複雑であり、また、植物の茎に取り付けるものであり、装飾体そのものも一定以上の重さを有するため、前記植物の茎にかかる荷重により、植物の茎が傾倒し易くなる。また、植物の茎に取り付けるため、茎がある程度長いものである等、対象植物が限定されている。さらに、植物の種類によっては、茎に取り付けるより、葉に取り付けるほうが鑑賞し易い場合がある。
【０００５】
本考案は、かかる点に鑑みてなされたものであり、その目的とするところは、様々な種類の植物に対応可能であり、また、植物を装飾する場合に植物に対するダメージを極力少なくすると共に、興趣性に優れる植物等の装飾体を提供することにある。
【課題を解決するための手段】
【０００６】
請求項１に記載の植物等の装飾体は、植物の葉等に取り付けるための取付部を備えるシート状の本体部と、前記本体部から上方に斜傾するシート状の揺動装飾部とが一体的に形成されてなることを特徴とする。
【０００７】
請求項１に記載の植物等の装飾体にあっては、前記本体部と前記揺動装飾部とがシート状にて形成されており、前記本体部は植物の葉等に取り付けるための取付部を備えているので、植物の葉等に取り付けることができ、対象植物が限定されることはなく、また、前記葉に取り付けた場合でも、全体がシート状で形成されるため、非常に軽量であり、前記葉に負担を与えることはない。そして、前記揺動装飾部を備えるため、流れる風や震動により、本装飾体が揺らいて看取され、興趣性を高めることとなる。さらに簡単な構成で形成されているので、容易かつ安価に製造することができる。
【０００８】
請求項２に記載の植物等の装飾体は、請求項１に記載の植物等の装飾体において、前記本体部及び前記揺動装飾部は昆虫、花等の天然物装飾から形成されてなることを特徴とする。
【０００９】
請求項２に記載の植物等の装飾体にあっては、恰も昆虫が羽ばたいているかのように、又は花が咲いて、風で揺らめいているかのように看取され、さらに興趣性を高めることとなる。
【００１０】
請求項３に記載の植物等の装飾体は、請求項１又は２に記載の植物等の装飾体において、前記本体部及び前記揺動装飾部は昆虫の天然物装飾から形成されてなり、前記本体部は前記昆虫の胴体部を模して形成される共に、前記衝動装飾部は前記昆虫の羽根部を模して形成され、前記揺動装飾部は前記本体部の両側から一対の羽根が生えているように前記本体部から上方に斜傾して形成されてなることを特徴とする。
【００１１】
請求項３に記載の植物等の装飾体にあっては、恰も昆虫が羽ばたいているかのように看取され、さらに興趣性を高めることとなる。
【００１２】
請求項４に記載の植物等の装飾体は、請求項１乃至３の何れか一に記載の植物等の装飾体において、前記取付部は、前記本体部から刳り貫かれる差し込み片により形成されてなることを特徴とする。
【００１３】
請求項４に記載の植物等の装飾体にあっては、前記取付部が簡単な構成からなるため、容易、かつ安価に製造することができる。
【００１４】
請求項５に記載の植物等の装飾体は、請求項４に記載の植物等の装飾体において、前記差し込み片の上部には、剥離紙を伴う接着層が形成されてなることを特徴とする。
【００１５】
請求項５に記載の植物等の装飾体にあっては、植物等の葉への取付がより強固なものとなる。
【考案の効果】
【００１６】
請求項１に記載の植物等の装飾体によれば、植物の葉等に取り付けるための取付部を備えるシート状の本体部と、前記本体部から上方に斜傾するシート状の揺動装飾部とが一体的に形成されているので、植物の葉等に取り付けることができ、対象植物が限定されることはなく、また、前記葉に取り付けた場合でも、全体がシート状で形成されるため、非常に軽量であり、前記葉に負担を与えることはない。そして、前記揺動装飾部を備えるため、流れる風や震動により、本装飾体が揺らいて看取され、興趣性を高めることとなる。さらに簡単な構成で形成されているので、容易かつ安価に製造することができる。
【００１７】
請求項２に記載の植物等の装飾体によれば、請求項１に記載の植物等の装飾体において、前記本体部及び前記揺動装飾部は昆虫、花等の天然物装飾から形成されているので、恰も昆虫が羽ばたいているかのように、又は花が咲いて、風で揺らめいているかのように看取され、さらに興趣性を高めることとなる。
【００１８】
請求項３に記載の植物等の装飾体によれば、請求項１又は２に記載の植物等の装飾体において、前記本体部及び前記揺動装飾部は昆虫の天然物装飾から形成されてなり、前記本体部は前記昆虫の胴体部を模して形成される共に、前記衝動装飾部は前記昆虫の羽根部を模して形成され、前記揺動装飾部は前記本体部の両側から一対の羽根が生えているように前記本体部から上方に斜傾して形成されているので、恰も昆虫が羽ばたいているかのように看取され、さらに興趣性を高めることとなる。
【００１９】
請求項４に記載の植物等の装飾体によれば、請求項１乃至３の何れか一に記載の植物等の装飾体において、前記取付部は、前記本体部から刳り貫かれる差し込み片により形成されているので、前記取付部が簡単な構成からなるため、容易、かつ安価に製造することができる。
【００２０】
請求項５に記載の植物等の装飾体によれば、請求項４に記載の植物等の装飾体において、前記差し込み片の上部には、剥離紙を伴う接着層が形成されているので、植物等の葉への取付がより強固なものとなる。
【図面の簡単な説明】
【００２１】
【図１】本考案に係る植物等の装飾体の正面図である。
【図２】本考案に係る植物等の装飾体の裏面図である。
【図３】本考案に係る植物等の装飾体の平面図である。
【図４】本考案に係る植物等の装飾体の斜視図である。
【図５】図１のＡ−Ａ線断面図である。
【図６】観葉植物の葉に取り付けた状態を示す斜視図である。
【図７】取付状態を示す要部拡大表面図である。
【図８】取付状態を示す要部拡大裏面図である。
【図９】第２実施例の植物等の装飾体の正面図である。
【図１０】第２実施例の植物等の装飾体の裏面図である。
【図１１】第２実施例の植物等の装飾体の取付状態を示す拡大断面図である。
【図１２】接着層を取付部の裏面に設けた植物等の装飾体の拡大断面図である。
【考案を実施するための形態】
【００２２】
以下、本考案を実施するための実施の形態を図面に基づいて具体的に説明する。
【００２３】
（第１実施例）
【００２４】
図１は本考案にかかる植物等の装飾体の第１実施例の正面図であり、図２は同裏面図であり、図３は同平面図であり、図４は同斜視図であり、図５は図１のＡ−Ａ線断面図である。
【００２５】
図中１０は、本考案に係る植物等の装飾体であり、前記植物等の装飾体１０は、合成フィルムや合成紙等の合成樹脂材料を原料として製造された薄手のシート材で形成されており、蝶々を模して形成されている。前植物等の装飾体１０の本体部１１は、蝶々の胴体を模して形成されており、前記本体部１１の両側から上方に向けて斜傾するように一対の揺動装飾部１２が蝶々の羽根を模して形成されている。
【００２６】
そして、前記本体部１１の略中心部に長さ方向に向けて矢印状の切り込み１３をいれ、矢印状の取付部１４を刳り貫いて形成している。前記切り込み１３は、前記取付部１４の基部に該当する辺には形成されておらず、前記取付部１４は前記本体部１１と連接されており、また、前記取付部１４の基部には、被取付体（植物の葉）の取付代を確保するため段部１４ａを形成している。
【００２７】
図６は前記植物等の装飾体１０観葉植物Ｔの葉Ｒに取り付けた状態を示す斜視図であり、図７は前記取付状態を示す要部拡大表面図であり、図８は取付状態を示す要部拡大裏面図である。
【００２８】
本考案に係る植物等の装飾体１０は、以上の構成からなるため、前記観葉植物Ｔの葉Ｒに取り付けるには、図７及び図８に示すように、前記取付部１４をを下方に押し出し、前記取付部１４と前記本体部１１との間隙に前記観葉植物Ｔの葉Ｒを差し込むと、図６に示すように、恰も、蝶々が前記観葉植物Ｔの葉Ｒに止まっているように取り付けることができる。
【００２９】
そして、前記植物等の装飾体１０の揺動装飾部１２は、薄手のシート材から形成されているので、風の流れや葉の動きに伴って、揺動し、恰も蝶々が羽ばたいているかのように看取され、興趣性を醸し出すことができる。
【００３０】
（第２実施例）
【００３１】
図９は本考案の他の実施例を示す植物等の装飾体の正面図であり、図１０は同裏面図であり、図１１は同取付状態を示す拡大断面図であり、図１２は接着層を取付部の裏面に設けた植物等の装飾体の拡大断面図である。
【００３２】
図９乃至図１１に示す植物等の装飾体２０は、本考案の第２の実施例であり、第１実施例と同様の構成には同符合を付して説明を省略する。
【００３３】
図９乃至図１１に示す植物等の装飾体３０において、１５は剥離紙（図示せず）を伴う接着層１５であり、前記取付１４の上面に形成している。また、図１２に示す植物等の装飾体３０においては、前記接着層１５を前記取付部１４の裏面に剥離紙１６を伴って形成している。
【００３４】
前記植物等の装飾体２０を植物の葉Ｒに取り付ける場合は、前記接着層１５が前記取付部１４の上面に形成しているので、図１１に示すように、前記接着層１５の剥離紙を捲って、前記取付部１４を下方に押し出し、前記取付部１４と前記本体部１１との間隙に前記観葉植物Ｔの葉Ｒを差し込み、前記接着層１５を前記葉Ｒの裏面に貼り付けるのである。
【００３５】
また、前記植物等の装飾体３０を植物の葉Ｒに取り付ける場合は、前記接着層１５を前記取付部１４の裏面に形成しているので、前記接着層１５の剥離紙１６を捲って、前記接着層１５を前記葉Ｒの表面に貼り付けると良い。
【００３６】
前記植物等の装飾体２０，３０によれば、夫々前記接着層１５により、前記観葉植物Ｔの葉Ｒの裏面取り付けているので、葉Ｒへの固着がより強固となる。なお、前記接着層１５及び前記剥離紙１６は、前記植物等の装飾体２０，３０に両面テープを貼着することによっても形成することができる。
【符号の説明】
【００３７】
１０    植物等の装飾体
１１    本体部
１２    揺動装飾部
１３    切り込み
１４    取付部
１４ａ  段部
１５    接着層
【図１】
0003180747.tif 000003
【図２】
0003180747.tif 000004
【図３】
0003180747.tif 000005
【図４】
0003180747.tif 000006
【図５】
0003180747.tif 000007
【図６】
0003180747.tif 000008
【図７】
0003180747.tif 000009
【図８】
0003180747.tif 000010
【図９】
0003180747.tif 000011
【図１０】
0003180747.tif 000012
【図１１】
0003180747.tif 000013
【図１２】
0003180747.tif 000014